(57)【要約】【課題】種々形状の便座に対しても簡単にかつ確実に取り付けでき、また便座に取り付けて使用している間に位置ズレするといったことのないようにした便座カバーを提供することにある。【解決手段】便座２の少なくとも１部を覆う着脱可能なカバーであって、基布４の長辺側である両側端部５ａ，５ｂに着脱部６（６ａ，６ｂ）を設けるとともに短辺側である両端部７ａ，７ｂの裏面８に粘着樹脂部９を設けた。【選択図】  図１
2006325953.tif 000002
【特許請求の範囲】
【請求項１】
便座の少なくとも１部を覆う着脱可能なカバーであって、基布の長辺側である両側端部に着脱部を設けるとともに短辺側である両端部の裏面に粘着樹脂部を設けたことを特徴とする便座カバー。
【請求項２】
基布の短辺側である少なくとも一端部の両側端部に係止部を設けたことを特徴とする請求項１記載の便座カバー。
【発明の詳細な説明】
【技術分野】
【０００１】
本発明は、腰を掛けて用をたす洋式便器における馬蹄形状または環状の便座に使用する便座カバーに関するものである。
【背景技術】
【０００２】
従来から洋式便器の便座カバーとしては種々のデザインや形状のものが開発され販売されている。馬蹄形状（略Ｕ形）の便座に取り付ける便座カバーとしては、たとえば、パイル生地によって両側部を靴下状に形成したものがある。しかし、このタイプの便座カバーの場合、便座の突出した両側部に挿着する時や、使用している間に汚れたために便座から取り外す時に、挿着しづらかったり外しづらかったりして煩わしく、取り付け取り外しに手間取ってしまうといった問題点があった。
【０００３】
また、環状（０形）の便座に取り付ける便座カバーとしては、たとえば、パイル生地によって平面視略Ｕ字形に形成し、裏側の両側縁の適宜箇所にボタンを取り付けたものである。この便座カバーは、便座に沿って上から被せた後に便座の裏側で上記した両側縁のボタンを留めて便座に取り付けている。しかしながら、このタイプの便座カバーの場合、取り付けや取り外しはある程度簡単にできるが、樹脂製の便座の表面はすべりやすく、使用している間に便座カバーが位置ズレを起こしてしまうといった問題がある。そのためにその都度、留めているボタンを外して便座カバーの位置ズレを修正しないと、便座にお尻を下ろした際に便座カバーの位置ズレによる凹凸の皺がお尻にあたり、使用時に不快に感じてしまうといった問題があった。
【０００４】
また、上記したそれぞれの便座カバーの場合は、馬蹄形状（略Ｕ形）の便座用、或いは環状（０形）の便座用としてのものであって、形状や長さ等の点から両方の便座に使用できるものではなかった。
【０００５】
【特許文献１】特開２００５−１３４１４号公報
【特許文献２】実開昭６３−１５７３９８号公報
【発明の開示】
【発明が解決しようとする課題】
【０００６】
本発明は上記のような点に鑑みて開発されたものであり、その目的とするところは、種々形状の便座に対しても簡単にかつ確実に取り付けでき、また便座に取り付けて使用している間に位置ズレするといったことのないようにした便座カバーを提供することにある。
【課題を解決するための手段】
【０００７】
請求項１に記載の本発明の便座カバーは、便座の少なくとも１部を覆う着脱可能なカバーであって、基布の長辺側である両側端部に着脱部を設けるとともに、短辺側である両端部の裏面に粘着樹脂部を設けたことを特徴とする構成にしてある。
【０００８】
また、請求項２に記載の本発明の便座カバーは、請求項１に記載の便座カバーの構成において、基布の短辺側である少なくとも一端部の両側端部に係止部を設けたことを特徴とする構成にしてある。
【発明の効果】
【０００９】
本発明の便座カバーでは、長手方向に中間を二つ折りにして便座に沿って上から被せた後に、基布の両側端部の対向する着脱部どうしをつけて筒状にして便座に取り付けることにより、基布の両端部の粘着樹脂部が便座に接して位置ズレを防止することができる。
【００１０】
さらに、基布の少なくとも一端部の両側端部に係止部を設けたことにより、上記のようにして本発明の便座カバーを便座に取り付けた後に、筒状にした基布の端部の両側端部どうしを係止部で係止することにより、上記の粘着樹脂部の作用効果と相まってより強く位置ズレを防止することができる。
【００１１】
また、上記のように筒状にようにした便座カバーの端部が便座の先の幅の細くなっている箇所に位置して、便座と便座カバーの上記の端部との間に隙間が生じた場合でも、便座カバーの端部の両側端部どうしを上記の係止部で係止することにより、上記の隙間を無くして便座カバーの粘着樹脂部を便座に密着させることができ、より確実に位置ズレを防止することができる。
【発明を実施するための最良の形態】
【００１２】
以下、本発明を実施するための最良の形態を図に基づいて説明する。
図１は本発明にかかる便座カバーを裏から平面視した斜視図、図２は本発明にかかる便座カバーを表から平面視した斜視図、図３は本発明にかかる便座カバーを環状（０形）の便座に取り付けた状態の平面図、図４は本発明にかかる便座カバーを洋式便器の環状（０形）の便座に取り付けた状態の斜視図である。
【００１３】
上記の図１〜図４に示す例の便座カバー１は、環状（０形）の便座２（図３、図４参照）の後部３以外の部分を覆うことができる長さの長方形の基布４と、この基布４の長辺側である両側端部５ａ、５ｂに設けた着脱部６（６ａ、６ｂ）と、基布４の短辺側である両端部７ａ、７ｂの裏面８に設けた粘着樹脂部９と、この例においては基布４の両端部７ａ、７ｂに設けた係止部１５（１５ａ、１５ｂ、１５ｃ）とからなる。勿論、本発明にかかる便座カバー１において、係止部１５は基布４の一端部７ａ（または７ｂ）に設けてもよい。
【００１４】
上記の便座カバー１をより具体的に説明すると、基布４は、伸縮性のある長方形のパイル地１０と平編み地１１とを一体形成して、パイル地１０の長辺側である両側端部５ａ、５ｂを裏側に折り返して縫着し、平編み地１１の短辺側である両端部７ａ、７ｂも裏側に折り返して縫着したものであり、環状の便座２の後部３以外の殆どの部分を覆うことができる大きさである。
【００１５】
この基布４の一方の側端部５ａの表面１２側（図２参照）には、着脱部６の一例であるホックの凹部６ａを、所定間隔を以って複数取り付けてあり、他方の側端部５ｂの裏面１４側(図１参照)には上記各凹部６ａと対応する位置にそれぞれホックの凸部６ｂが取り付けてある。
【００１６】
基布４の両端部７ａ、７ｂの裏面８側（図１参照）には粘着樹脂部９が設けてある、この粘着樹脂部９は、上記した短辺側の平編み地１１を折り返して縫着した裏面８に、シリコン樹脂を帯状に塗布して形成されたものであって、摩擦抵抗の大きい柔軟性のある軟質固化したものである。勿論、粘着樹脂部９は、便座に接着することなく密着して、便座に対する摩擦抵抗が大であれば如何なる材質のものであってもよい。
【００１７】
さらに基布４の両端部７ａ、７ｂの両側端部７ｃ、７ｄには，環状のゴム紐１５ａ，１５ｂとフック１５ｃからなる係止部１５がそれぞれ設けてある。すなわち、上記の各端部７ａ、７ｂの両側端部７ｃ、７ｄにはゴム紐１５ａ、１５ｂを環状にして縫着してあり、各端部７ａ、７ｂの一方の環状のゴム紐１５ａにはフック１５ｃが設けてある。
【００１８】
上記のような構成からなる本発明にかかる便座カバー１にあっては、図３、図４に示すような環状の便座２に取り付ける場合、便器から便座２を起こし、環状の便座２の後部３以外の部分に沿って上面側から基布４を被せ、片方の側端部５ａの各ホックの凹部６ａと、もう片方の側端部５ｂの各ホックの凸部６ｂとを便座２の裏面側で嵌め合わせる。そして両端部７ａ、７ｂのフック１５ｃを引いて対応する環状のゴム紐１５ｂに係止する。
【００１９】
このようにして本発明にかかる上記した例の便座カバー１を環状の便座２に取り付けることにより、両端部７ａ、７ｂの裏面８の粘着樹脂部９が便座２の外面２ａに当接して位置ズレし難くなる。そのため、便座カバー１で覆った便座２に腰を掛けてトイレの使用を繰り返しても、便座カバー１が位置ズレを起こし全体に蛇腹のような弛んだ状態になることもない。したがって、使用している間に便座カバー１の位置修正をする必要もなくなり、また使用時に便座カバー１の位置ズレによる皺によって不快な思いをすることもない。さらに、基布４の両端部７ａ、７ｂの両側端部７ｃ、７ｄを、環状のゴム紐１５ｂとフック１５ｃとによって係止したことにより、基布４の両端部７ａ、７ｂの裏面８の粘着樹脂部９が便座２にしっかりと密着し、より確実に便座カバー１の位置ズレを防止することができる。
【００２０】
なお、本発明にかかる便座カバー１においては、係止部１５を上記した例のように基布４の両端部７ａ、７ｂに設けた構成でも、或いは一方の端部７ａ（または７ｂ）に設けた構成であってもよい。勿論、本発明にかかる便座カバーは、係止部１５を備えていない構成（図１から係止部１５を除いた構成）であってもよく、係止部１５を備えていなくても十分に便座２に対する位置ズレを防止する効果を発揮することができる。しかし、より確実に便座カバーの位置ズレを防止するには、係止部１５を備えていない便座カバーにおいては、基布４の両側端部５ａ、５ｂとともに特に両端部７ａ、７ｂに凸部６ａと凹部６ｂとをそれぞれ対応する位置に設けておけば、この両端部７ａ、７ｂの凸部６ａと凹部６ｂとを留めることによって、両端部７ａ、７ｂが便座２から離れることもなく、また便座２の太さ（幅の大小）に関係なく、粘着樹脂部９を便座２に確実に密着させることができて位置ズレを防止できる。
【００２１】
図５〜図９は本発明にかかる他の例の便座カバー１０１に関する図である。なお、図中符号は便宜上、先の例の図中符号を同一箇所に使用する。
この例の便座カバー１０１は、先の例に比べて長さの短い基布４によって形成されたものであり、環状（０形）の便座２或いは馬蹄形状（略Ｕ形）の便座１９のどちらにでも問題なく取り付けて使用することができる。
【００２２】
すなわち、この例の便座カバー１０１では、基布４の一端部７ａに係止部１５を構成する一方の環状のゴム紐１５ｂと、他方の環状のゴム紐１５ａと、このゴム紐１５ａに係止したフック１５ｃとが設けてある。また、基布４の一端部７ｂには着脱部６の一例であるホックの凹部６ａと凸部６ｂとがそれぞれ設けてある。その他の構成については先の例と同様であり同一箇所に同一符号を付して説明を省略する。勿論、上記の係止部１５は基布４の両端部７ａ、７ｂに設けてもよし、また基布４の両端部７ａ、７ｂに設けない構成の便座カバー１０１であってもよい。
【００２３】
この例の便座カバー１０１においても、環状の便座２（図７参照）或いは馬蹄形状の便座１９（図８参照）に上から被せるようにして取り付け、便座２（または１９）の裏側から各ホックの凸部６ａと凹部６ｂとを留めるとともに、一端部７ａのフック１５ｃをゴム紐１５ｂに引っ掛けて取り付ければよい。
【００２４】
この場合、フック１５ｃとゴム紐１５ｂとを便座２（または１９）の前部側にして取り付けた方が、便座２（または１９）に対して前からお尻を降ろした時に、便座カバー１が後ろに押されて基布４が後ろにズレするのを防止できる。勿論、フック１５ｃとゴム紐１５ｂ側を便座２（または１９）の後部３側に配して取り付けてもよい。また、基布４の一端部７ｂの凸部６ａと凹部６ｂとを留めることによっても、十分に便座カバー１０１の位置ズレを防止することができる。
【００２５】
この便座カバー１０１でも、上記した例の便座カバー１と同様に、両端部７ａ、７ｂの裏面８の粘着樹脂部９が便座２（１９）の外面２ａに当接して位置ズレし難くなり、トイレの使用を繰り返しても、便座カバー１０１が位置ズレを起こし全体に蛇腹のような弛んだ状態になることはない。また、先の例の便座カバー１に比べて全体が短いので、環状の便座２にも、馬蹄形状の便座１９にも簡単に取り付けでき、また汚れた場合にも簡単に取り外すことができる。
【図面の簡単な説明】
【００２６】
【図１】本発明にかかる便座カバーを裏から平面視した斜視図である。
【図２】本発明にかかる便座カバーを表から平面視した斜視図である。
【図３】本発明にかかる便座カバーを環状の便座に取り付けた状態の平面図である。
【図４】本発明にかかる便座カバーを洋式便器の環状の便座に取り付けた状態の斜視図である。
【図５】本発明にかかる他の例の便座カバーを裏から平面視した斜視図である。
【図６】本発明にかかる他の例の便座カバーを表から平面視した斜視図である。
【図７】本発明にかかる他の例の便座カバーを環状の便座に取り付けた状態の説明図である。
【図８】本発明にかかる他の例の便座カバーを馬蹄形状の便座に取り付けた状態の説明図である。
【図９】本発明にかかる他の例の便座カバーを洋式便器の馬蹄形状の便座に取り付けた状態の説明図である。
【符号の説明】
【００２７】
１          便座カバー
２（１９）  便座
４          基布
５ａ、５ｂ  側端部
６（６ａ、６ｂ）着脱部
７ａ、７ｂ  端部
８          裏面
９          粘着樹脂部
１４        裏面
１５（１５ａ、１５ｂ、１５ｃ）係止部
１０１      便座カバー
【図１】
2006325953.tif 000003
【図２】
2006325953.tif 000004
【図３】
2006325953.tif 000005
【図４】
2006325953.tif 000006
【図５】
2006325953.tif 000007
【図６】
2006325953.tif 000008
【図７】
2006325953.tif 000009
【図８】
2006325953.tif 000010
【図９】
2006325953.tif 000011